(57)【要約】【課題】緑化用の植物の生長に拘わらず目隠し機能を果たすと共に、目隠し塀の全面に植物が繁茂しうる緑化目隠し塀を提供する。【解決手段】所定の間隔をおいて立設された支柱２に目隠し材１が取付けられた目隠し塀において、目隠し材１とフェンス５とを前後に間隔をあけて併設させると共に、フェンス５には植物が伝って緑化するようになされれば、敷地の境界等に目隠し塀を設置する場合、フェンス５が目隠し材１に対して敷地内側に取付けられると、敷地外からは屋内が見えず目隠し効果を奏し、敷地内からはフェンス５に植物が繁茂すれば緑化壁面となるため、目隠し効果と緑化壁面効果を同時に達成することができる。【選択図】        図３
2007113263.tif 000002
【特許請求の範囲】
【請求項１】
所定の間隔をおいて立設された支柱に目隠し材が取付けられると共に、該目隠し材に間隔をあけてフェンスが併設され、このフェンスに植物を支持させて緑化させるようになされたことを特徴とする緑化目隠し塀。
【請求項２】
上下に配置された上枠材及び下枠材に目隠し材が取付けられると共に、該上枠材及び下枠材を介して支柱の一側面に目隠し材が取付けられ、前記側面と相対する他方の側面にフェンスが取付けられていることを特徴とする請求項１に記載の緑化目隠し塀。
【請求項３】
上枠材及び下枠材に、複数個の目隠し材が前後に間隔をあけて取付けられることを特徴とする請求項２に記載の緑化目隠し塀。
【請求項４】
相対向する設置面と下枠材との間に不陸調整枠材が取付けられたことを特徴とする請求項２又は３に記載の緑化目隠し塀。
【発明の詳細な説明】
【技術分野】
【０００１】
本発明は、道路の側面や家屋等の建物の周囲に取付けられる塀について、目隠し機能と植物により緑化された緑化機能とを有する目隠し塀に関するものである。
【０００２】
一般家庭において、道路との境界、あるいは隣接する敷地同士の境界等を仕切る手段としてフェンスや柵を設けることは、外からの人や動物の侵入を防ぐと共に、植物をフェンス等に絡ませて緑化させて、外から見た景観性の向上にも配慮されたものにもなる。
【０００３】
又、敷地外部から屋内が見られないようにするために、パネル等の板材を敷地の境界等に配置して外部からの目隠し機能を持たせた塀等が設置される場合がある。この場合は、パネル面を直接緑化できないため、屋内から見ると殺風景であり、又、この塀の高さによっては圧迫感を与える場合があった。そこで、この目隠し塀に緑化フェンス等による緑化手段を組み合わせたものが提案されている（例えば、特許文献１参照。）。
【０００４】
この目隠し塀は、下部にネットフェンスを配置し、一定の隙間を設けて上部に目隠し材を配置したものである。具体的にはネットフェンスに植物を絡ませて生長させてネットフェンス部を緑化させると共に、隙間により上へは植物を生長させず目隠し材には絡ませないようにすることで、目隠し機能と緑化機能を同時に達成しようとするものである。
【特許文献１】特開平１１−１５９１９９号公報
【０００５】
しかしながら、前記の目隠し塀には次のような問題点があった。すなわち、ネットフェンスの部分は植物が生長するまでの間は外から敷地内が見えるため、目隠し機能を十分に果たせない場合があった。又、ネットフェンス部と目隠し材との隙間の幅によっては、一部の植物が隙間を超えて目隠し材を伝って生長して景観上好ましくない場合や、逆に必要以上に隙間が生じて目隠し機能を十分果たせない場合があった。
【発明の開示】
【発明が解決しようとする課題】
【０００６】
本発明は、前記の如き問題点を解消し、植物によって緑化される緑化面を有すると共に、緑化用の植物の生長に拘わらず目隠し機能を奏する目隠し塀を提供せんとするものである。
【課題を解決するための手段】
【０００７】
上記目的を達成するために、本発明は次のような構成としている。
すなわちこの発明に係る緑化目隠し塀は、所定の間隔をおいて立設された支柱に目隠し材が取付けられると共に、該目隠し材に間隔をあけてフェンスが併設され、このフェンスに植物を支持させて緑化させるようになされたことを特徴とするものである。
【発明の効果】
【０００８】
本発明によれば、敷地の境界等に目隠し塀を設置する場合、フェンスが目隠し材に対して敷地内側に取付けられると、敷地外からは屋内が見えず目隠し効果を奏し、敷地内からは植物がフェンスに支持されて繁茂すれば緑化面となるため、目隠し効果と緑化効果を同時に達成することができる。
【０００９】
又、上下に配置された上枠材及び下枠材に目隠し材が取付けられると共に、該上枠材及び下枠材を介して支柱の一側面に目隠し材が取付けられ、前記側面と相対する他方の側面にフェンスが取付けられれば、立設された支柱に対して一方から目隠し材を取付け、他方からフェンスを取り付ければよいので施工作業が容易である。
【００１０】
更に上枠材及び下枠材に、複数個の目隠し材が前後に間隔をあけて取付けられれば、本発明に係る緑化防音壁が道路に面した箇所に設置される場合、道路で発生する交通騒音を防音する効果が向上し、又、目隠し材間に吸音材や遮音材等を配置させることでより防音効果が向上させることができる。
【００１１】
又、相対向する設置面と下枠材との間に不陸調整枠材が取付けられれば、目隠し塀の下部の隙間から敷地内に直接伝播する交通騒音を低減させることができる。
【発明を実施するための最良の形態】
【００１２】
次に、本発明を実施するための最良の形態について図面を参照し、具体的に説明する。
【００１３】
すなわち、図１は本発明に係る緑化目隠し塀の実施の一形態を示す正面図、図２は図１の裏面図、図３は図１の主要部の断面図、図４は図１に示された上枠材及び下枠材の断面図、図５は図１に示された下枠材の他の形態を示す断面図、図６は図２に示された固定金具の正面図、図７は図３に示された接続金具の正面図である。
【００１４】
図面において、１は目隠し材、２は目隠し材１が取付けられる支柱、３及び４は目隠し材３の上下に配置されて目隠し材１が取付けられる上枠材及び下枠材、５は支柱２に取付けられるフェンスであり、本発明に係る緑化目隠し塀は、これら目隠し材１、支柱２、上枠材３，下枠材４、及びフェンス５から主に構成されている。
【００１５】
支柱２は地面に所定の間隔をおいて立設され、目隠し材１とフェンス５とを支持するためのものである。この支柱１には、目隠し材１を取付けるための取付ボルト８を通す貫通孔２１と、フェンス５を固定するためのビスを螺入させる固定孔２２が形成されている。又、支柱２の上部には、支柱キャップ２３が取付けられ、支柱２の内部に雨水等が浸入しないようになされている。
【００１６】
次に、目隠し材１は、目隠し材１の剛性を保持する板材１１に表面装飾層１２が設けられたものであって、板材１１は、一般には、アルミニウム、ステンレス鋼等の金属板、ポリエチレン、ポリプロピレン等の合成樹脂板、木材や主に木材片からなる集積材、或いはこれら金属板、樹脂板等を組み合わせたものから形成されたものである。又、板材の表面は平滑面でもよく、エンボス等によって凹凸が形成されていてもよい。更に、表面装飾層１２を形成するには、板材に塗装を施してもよいし、フィルムやシートを貼着させてもよいが、表面装飾層１２を設けず板材をそのまま使用してもよい。
【００１７】
図３に示された目隠し材１は、２個の目隠し材１を間隔をあけて併設し、防音効果を高めたものである。又、２個の目隠し材１の間に吸音部材１３と金属鋼板１４が配置されることで防音効果をより向上させることができる。吸音部材１３はグラスウール、樹脂又はコンクリートの発泡体、多孔質セラミックス等からなる吸音性を有する平板状体であり、又金属鋼板１４は上下縁部が曲折されたコ字状板であり、吸音部材１３はコ字内に配置されている。この金属鋼板１４の質量効果によって音の振動を減衰させるものである。この際、外側の目隠し材にパンチング加工やスリット加工を施し、吸音効果を高めるようになされてもよい。
【００１８】
上枠材３には、図４に示されるように、目隠し材１の上端部が取付けられ、下枠材４と共に目隠し材１を支柱２に取付けるためのものである。この上枠材３には、長手方向に沿って支柱２側に開口した取付溝３１が形成され、この取付溝３１には、上下縁部に内側に向け折曲部３２が形成されている。又、取付溝３１には取付金具３３が長手方向に摺動可能に取付けられ、折曲部３２が取付金具６と支柱２との間に挟まれるようなされる。更に取付溝３１の底部には長手方向に沿って凹み部３３が形成されている。
【００１９】
そして上枠材３の下部には、目隠し材１を取付けるための取付部３４が設けられている。この取付部３５には、目隠し材１が挿入される２個の挿入溝３５が長手方向に併設され、その間には吸音部材１３及び金属板１４等が配置できるようになされている。又、２個の挿入溝３５の間に位置する内側壁３６は相対向する２個の外側壁３７に対して下方に延設され、その端部には目隠し材１の側面に取付けられる縦枠１５がビス止めされるビス孔３８が設けられている。
【００２０】
下枠材４には、目隠し材１の下端部が取付けられ、上枠材３と共に目隠し材１を支柱２に取付けるためのものである。この下枠材４には上枠材３と同様に、長手方向に沿って取付溝３１が形成され、この取付溝３１には、溝部の上下縁部に内側に向け折曲部３２が形成されている。又、取付溝３１には取付金具６が長手方向に摺動可能に取付けられ、折曲部３２が取付金具６と支柱２との間に挟まれるようなされる。更に取付溝３１の底部には長手方向に沿って凹み部３３が形成されている。
【００２１】
そして下枠材４の上部には、目隠し材１を取付けるための取付部３４が設けられている。この取付部３４には、目隠し材１が挿入される２個の挿入溝３５が長手方向に併設され、その間には必要に応じて吸音部材１３及び金属板１４等が配置できるようになされている。又、２個の挿入溝３５の間に位置する内側壁は相対向する２個の外側壁３６に対して上方に延設され、その端部には目隠し材３７の側面に取付けられる縦枠１５がビス止めされるビス孔３８が設けられている。
【００２２】
取付金具６は、横長形状であり、上枠材３及び下枠材４の取付溝３１に挿入され、取付溝３１の折曲部３２が取付金具６と支柱２との間に挟まれるようなされている。取付金具６の端部には、支柱２の取付側に向かって突出した突起６１が形成され、取付金具６を取付溝３５に沿って摺動させる場合、作業者が、この突起６１をつまんで取付金具の位置を調整することができる。又、取付金具６には取付ボルト８と螺合するためにバーリング加工されたねじ孔６２が形成されている。
【００２３】
取付金具６の材質は、特に限定されるものではないが、高強度で防錆性能が優れたステンレス合金がより好ましい。又、取付金具６のねじ孔はは、横長形状であり、上枠材３及び下枠材４の取付溝３１に挿入され、取付溝３１の折曲部３２が取付金具６と支柱２との間に挟まれるようなされている。取付金具６の端部には、支柱２の取付側に向かって突出した突起６１が形成され、取付金具６を取付溝３５に沿って摺動させる場合、作業者が、この突起６１をつまんで取付金具の位置を調整することができる。又、取付金具６には取付ボルト８と螺合するためのねじ孔６２が形成されている。
【００２４】
最下に位置する下枠材４ａは、取付溝３１の下部が欠除されて上部のみが設けられ、取付金具６は取付溝上部の任意の位置に挿入され、折曲部３２が取付金具６ａと支柱２との間に挟まれるようなされる。尚、取付金具６ａは両側端に突起６１が設けられた形態である。又、この下枠材４ａの下部では係合片４１は欠除され、不陸調整枠材７に嵌め込まれるようになされている。他の箇所は上記の下枠材４と同様である。
【００２５】
不陸調整枠材７は、最下に位置する下枠材４ａと地面との間に配置され、地面との間に生じる隙間をなるべく少なくするためものである。不陸調整枠材７には、上方に開口した溝部７１が長手方向に沿って形成され、溝部７１に下枠材４ａの下部が挿入されている。
【００２６】
上枠材３、下枠材４・４ａ、及び不陸調整枠材７は、一般的にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フイルムをラミネートしたもの、目隠し材１の色に合わせて表面に着色がなされたもの等、必要となる長さや強度に応じて、適宜使用できる。
【００２７】
続いて、フェンス５は、多数本の横線材５１と縦線材５２とを格子状に組み合わせ、その格子が接合されて形成されたものであり、支柱２に対して目隠し材１の反対側に取付けられると共に、つる性植物等の植物を支持し、目隠し塀を緑化させるための植物支持材料である。この植物を植える際は、フェンス５の取付位置に対して目隠し材１側でもよく、その反対側でもよい。目隠し材１側に植物を植えると、植物が生長する空間が限られるのでフェンス５を伝って生長しやすく、フェンス５を緑化させやすい。
【００２８】
尚、フェンス５は、植物を巻きつかせて上方向に成長させる支持材料であれば、前記に限定されるものではなく、例えば、縦線材５１及び横線材５２の少なくとも一方がサインカーブ状あるいは鋸歯状等の波形に形成された略格子状もの、縦線材５１あるいは横線材５２のみから形成されたもの、あるいはこれらを組み合わせて形成されたもの、線材が右斜め及び左斜めに配置されてなる菱形状の網目が形成されたもの、線材の代わりに合成繊維や紐等を用いて格子状又は菱形状の網目が形成されたもの、金属板に並行かつ千鳥状に配列された切れ目を多数形成させて切れ目を網目状に拡げてなるエキスパンドメタルでもよい。また、線材や紐等の交点は、溶接や止め金具等による接合、互いに組み合わせた接合、互いに結び合わた接合等により接合されてもよく、交点で接合されない形態でもよい。
【００２９】
図２に示されたフェンス５は、いずれも亜鉛めっきが施された多数本の鉄製横線材と縦線材とを格子状に組合せ、その格子の各交点は電気溶接により接合され、更に表面全体に塗装が施されて形成されたものであり、生産性や防錆性能等を考慮すると本形態がより好ましい。又、格子の大きさは特に限定されるものではないが、１０ｃｍ角程度とすると、植物がフェンスの下部から格子を伝って生長する場合、横方向より上方向に生長しやすい傾向を示して比較的短期間でフェンス全面の緑化がなされる。
【００３０】
又、フェンス５は、図３に示されるように、上端及び下端部では、縦線材５１が外側に向け斜め方向へ屈曲され、更にその先端では、支柱側に向けて屈曲されている。これにより、フェンスは、上下方向に折り曲がり難くなされている。
【００３１】
固定金具５３は、メッシュの横線材５２に取付けられ、メッシュ５を支柱２に固定されるためのものである。固定金具５３には、その下部にメッシュ５の横線材５２の外径よりやや大径の半円弧状である固定部５４が、円弧の中心軸が水平方向になるように設けられ、上部には、ビスが通されるビス孔が備えられている。メッシュ５の支柱２への固定は、固定部５４の内壁面に沿うようにメッシュの横線材５２と当接させ、かつ、ビス孔と支柱２の固定孔２２とにビスを貫通螺合させてなされる。
【００３２】
固定金具５３の材質は、フェンス５を固定するための十分な強度を保持していれば、特に限定されるものではないが、高強度で防錆性能が優れたステンレス合金がより好ましい。
【００３３】
次に、本実施の形態に係る目隠し材１及びフェンス５の取付手順について説明する。
【００３４】
まず、所定間隔に支柱２を立設する。そして、不陸調整枠材７を地面に配置し、その上から下枠材４ａを取付ける。次いで、取付金具６を下枠材４ａの取付溝３１に挿入し、取付金具６の突起６１をつまみながら取付位置を調整し、支柱２の貫通孔２１に通された取付ボルト８を取付金具６のねじ孔６２に螺合させて、下枠材４ａを支柱２に取付ける。尚、取付溝３１に凹み部３３が設けられているため、作業時に取付ボルト８が取付金具を貫通しても、取付ボルト８の先端が取付溝３１に当たり難くなされている。
【００３５】
次いで、下枠材４ａの取付部３４に設けられた２個の挿入溝３５に目隠し材１をそれぞれ挿入し、２個の目隠し材１の間に吸音部材１３と金属板１４とを配置させる。そして、２個の目隠し材１の上部を上枠材３の取付部３１に設けられた挿入溝３２にそれぞれ挿入する。続いて、取付金具６を上枠材３の取付溝３１に挿入し、取付金具６の突起６１をつまみながら取付位置を調整し、支柱２の貫通孔２１に通された取付ボルト８を取付金具６のねじ孔６２に螺合させ、支柱２と取付金具６とで取付溝３１に形成された折曲部３２を挟着させて上枠材３を支柱２に取付け、目隠し材１を支柱２に固定する。
【００３６】
目隠し材１を２段以上積み重ねる場合は、まず上枠材３の上に下枠材４を載置し、上枠材３の係止切欠３９と下枠材４の係合片４１とを係合させ、下枠材４が上枠材３に対して容易に外れないようにする。そして取付金具６を下枠材４の取付溝３１に挿入し、取付金具６の突起６１をつまみながら取付位置を調整し、支柱２の貫通孔２１に通された取付ボルト８を取付金具６のねじ孔６２に螺合させ、支柱２と取付金具６とで取付溝３１に形成された折曲部３２を挟着させて下枠材４を支柱２に取付ける。目隠し材１は、前記と同様な作業を繰り返し、支柱２に固定すればよい。
【００３７】
上枠材３及び下枠材４には、その側端部に枠材カバー４２が取付けられている。又目隠し材１には、断面コ字状の縦枠１６が、目隠し材１の側端部を覆うように取付けられてビス止めされている。これにより、雨水等はそれぞれの側端部から内側へ浸入し難くなると共に、側端部の意匠性を高めることができる。
【００３８】
又、フェンス５を支柱２に取付ける際は、支柱２において目隠し材１の取付面とは反対側にフェンス５を配置し、フェンス５の横線材５２に固定金具５３の固定部５４を当接させ、固定金具５３のビス孔５５に通したビスを支柱２の固定孔２２に螺合させて固定金具５３を支柱２に取付け、フェンス５を支柱２に固定させる。固定金具５３の取付数は、フェンス５の高さや横幅に応じて、フェンス５が容易に外れないために必要な数とすれはよく、特に制限されるものではない。
【００３９】
本発明に係る緑化目隠し塀を敷地境界部に取付る場合、フェンス５が目隠し材１に対して敷地内側に取付けられると、敷地外からは屋内が見えず目隠し効果を奏し、外部からの侵入する者や動物を防ぐ効果もあり、又敷地内からはフェンス５に植物が繁茂すれば緑化壁面となる。又、フェンス５が目隠し材１に対して敷地外側に取付けられると、敷地外からは屋内が見えず目隠し効果を奏し、かつ緑化壁面となる。この際は、敷地内に侵入する者を排除ことを目的として、フェンス５の縦線材５１の間隔をなるべく狭くし、格子に足や履き物が入りにくいようにしてもよい。
【産業上の利用可能性】
【００４０】
本発明によれば、敷地の境界等に目隠し塀を取付ける場合、フェンスが目隠し材に対して敷地内側に取付けられると、敷地外からは屋内が見えず目隠し効果を奏し、敷地内からはフェンスに植物が繁茂すれば緑化壁面となり、又、フェンスが目隠し材に対して敷地外側に取付けられると、敷地外からは屋内が見えず目隠し効果を奏し、かつ緑化壁面となるため、例えば宅地や工場等の敷地の境界に設けられる塀に好適に利用される。
【図面の簡単な説明】
【００４１】
【図１】本発明に係る緑化目隠し塀の実施の一形態を示す正面図である。
【図２】図１の裏面図である。
【図３】図１の主要部の断面図である。
【図４】図１に示された上枠材及び下枠材の拡大断面図である。
【図５】図１に示された下枠材の他の形態を示す拡大断面図である。
【図６】図２に示された固定金具の正面図である。
【図７】図３に示された接続金具の正面図である。
【符号の説明】
【００４２】
１    目隠し材
１１  板材
１２  表面装飾層
１３  吸音部材
１４  金属鋼板
１５  縦枠
２    支柱
２１  貫通孔
２２  固定孔
２３  支柱キャップ
３    上枠材
３１  取付溝
３２  折曲部
３３  凹み部
３４  取付部
３５  取付溝
３６  内側壁
３７  外側壁
３８  ビス孔
３９  係合切欠
４、４ａ  下枠材
４１  係止片
４２  枠材カバー
５    フェンス
５１  縦線材
５２  横線材
５３  固定金具
５４  固定部
６、６ａ  取付金具
６１  突起
６２  ねじ孔
７    不陸調整枠材
７１  溝部
８    取付ボルト
【図１】
2007113263.tif 000003
【図２】
2007113263.tif 000004
【図３】
2007113263.tif 000005
【図４】
2007113263.tif 000006
【図５】
2007113263.tif 000007
【図６】
2007113263.tif 000008
【図７】
2007113263.tif 000009